【手続補正書】
【提出日】平成20年8月14日(2008.8.14)
【手続補正１】
【補正対象書類名】特許請求の範囲
【補正対象項目名】全文
【補正方法】変更
【補正の内容】
【特許請求の範囲】
【請求項１】
ライダーに運動効果を提供するため、ライダーの両足を用いて方向変更可能な方式で推進されるキャスタースケート装置であって、
その上に置かれる片足を支持するためのフロントボードと、
路面上で転動動作を行うための、センター軸に沿って前後位置に直列に整列されながら前記フロントボードの裏面に所定間隔をおいて装着される第１および第２ローラーと、
その上に置かれる他の片足を支持するために前記フロントボードの後側に配設されるリアボードと、
路面上で転動動作を行うための、センター軸に沿って前後位置に直列に整列されながら前記リアボードの裏面に所定間隔をおいて装着される第３および第４ローラーと、
所定の長さを有する可動性連結具であって、前記可動性連結具の一端が前記フロントボードの後端に連結されており、前記可動性連結具の他端が前記リアボードの前端に連結されており、したがって前記両フロントボードおよびリアボードが所定の範囲内で独立して動作可能であり、ここにおいて、第１および第３ローラーのそれぞれの回転中心が、所定間隔分だけ前記それぞれのボードの裏面に対して所定傾斜角度を有する軸から間隔をおいて位置することを特徴とする可動性連結具
を具備するキャスタースケート装置。
【請求項２】
ライダーに運動効果を提供するため、ライダーの両足を用いて方向変更可能な方式で推進されるキャスタースケート装置であって、
その上に置かれる片足を支持するためのフロントボードと、
路面上で転動動作を行うための、センター軸に沿って前後位置に直列に整列されながら前記フロントボードの裏面に所定間隔をおいて装着される第１および第２ローラーと、
その上に置かれる他の片足を支持するために前記フロントボードの後側に配設されるリアボードと、
路面上で転動動作を行うための、センター軸に沿って前後位置に直列に整列されながら前記リアボードの裏面に所定間隔をおいて装着される第３および第４ローラーと、所定の長さを有する可動性連結具であって、
前記可動性連結具の一端が前記フロントボードの後端に連結されており、前記可動性連結具の他端が前記リアボードの前端に連結されており、したがって前記両フロントボードおよびリアボードが所定の範囲内で独立して動作可能であり、
ここにおいて、第１および第３ローラーのそれぞれの回転中心が、所定半径分だけ前記それぞれのボードの裏面に対して所定傾斜角度を有する軸から間隔をおいて位置することを特徴とし、さらには、前記第２および第４ローラーのそれぞれの回転中心が、所定間隔分だけ前記それぞれのボードの裏面に対して垂直な後回転軸から間隔をおいて位置することも特徴とする可動性連結具
を具備するキャスタースケート装置。
【請求項３】
ライダーに運動効果を提供するため、ライダーの両足を用いて方向変更可能な方式で推進されるキャスタースケート装置であって、
その上に置かれる片足を支持するためのフロントボードと、
路面上で転動動作を行うための、センター軸に沿って前後位置に直列に整列されながら前記フロントボードの裏面に所定間隔をおいて装着される第１および第２ローラーと、
その上に置かれる他の片足を支持するために前記フロントボードの後側に配設されるリアボードと、
路面上で転動動作を行うための、センター軸に沿って前後位置に直列に整列されながら前記リアボードの裏面に所定間隔をおいて装着される第３および第４ローラーと、
所定の長さを有する可動性連結具であって、
前記可動性連結具の一端が前記フロントボードの後端に連結されており、前記可動性連結具の他端が前記リアボードの前端に連結されており、したがって前記両フロントボードおよびリアボードが所定の範囲内で独立して動作可能であり、
ここにおいて、第１〜第４ローラーのそれぞれの回転中心が、所定間隔分だけ前記それぞれのボードの裏面に対して所定傾斜角度を有する軸から間隔をおいて位置することを特徴とする可動性連結具
を具備するキャスタースケート装置。
【請求項４】
ライダーの両足を用いて路面上で走行と方向変更をしながら運動することができるようにした運動器具であって、
前記ライダーの両足がそれぞれ置かれる一対のボード（２０）、（３０）と、
前記一対のボード（２０）、（３０）のそれぞれの底面に所定の間隔をおいて一軸に直列に配置され、路面上で転動動作を行う少なくとも２つ以上のローラーと、を備え、
前記ローラーのうち少なくともいずれか１つは、前記それぞれのボード面に対する垂直軸方向から所定の傾斜角度θを形成する傾斜軸Ｃを中心として回転可能に設置されたことを特徴とするキャスタースケート。
【請求項５】
前記一対のボードは、少なくとも所定の範囲内で独立して動作可能であることを特徴とする請求項４に記載のキャスタースケート。
【請求項６】
前記傾斜角度θは、２５度以上、４５度以下であることを特徴とする請求項４に記載のキャスタースケート。
【請求項７】
前記ローラーは、傾斜軸Ｃから所定の回転半径ｒをもって設置されたことを特徴とする請求項４に記載のキャスタースケート。
【請求項８】
前記それぞれのボードの底面から導き出され、前記ボードの上面に対して傾斜面を含むブラケットを更に備えることを特徴とする請求項４に記載のキャスタースケート。
【請求項９】
前記ローラーは、前記ブラケットの傾斜面に回転可能に結合されることを特徴とする請求項８に記載のキャスタースケート。
【請求項１０】
ライダーの両足を用いて路面上で走行と方向変更をしながら運動することができるようにした運動器具であって、
いずれか片足が置かれる前方ボード（２０）と、
前記前方ボード（２０）の底面に所定の間隔をおいて前後方の一軸に直列に配置され、路面上で転動動作を行なう第１ローラー（２２）及び第２ローラー（２３）と、
前記前方ボード（２０）の後方に配置され、他の片足が置かれる後方ボード（３０）と、
前記後方ボード（３０）の底面に所定の間隔をおいて前後方の一軸に直列に配置され、路面上で転動動作を行う第３ローラー（３２）及び第４ローラー（３３）と、を備え、
前記第１ローラー（２２）、第３ローラー（３２）は、前方ボード（２０）、後方ボード（３０）の上面に対して所定の傾斜角度θを形成する傾斜軸Ｃから所定の回転半径ｒをもって設置されたことを特徴とするキャスタースケート。
【請求項１１】
前記前方ボード（２０）及び後方ボード（３０）は、少なくとも所定の範囲内で独立して動作可能であることを特徴とする請求項１０に記載のキャスタースケート。
【請求項１２】
前記第２ローラー（２３）、第４ローラー（３３）は、前方ボード（２０）、後方ボード（３０）の底面回転軸Ｃ１から所定の半径ｒ１をもって設置されたことを特徴とする請求項１０に記載のキャスタースケート。
【請求項１３】
前記第１ローラー（２２）、第２ローラー（２３）、第３ローラー（３２）、第４ローラー（３３）は、前方ボード（２０）、後方ボード（３０）の上面に対して所定の傾斜角度θを形成する傾斜軸Ｃから所定の回転半径ｒをもって設置されたことを特徴とする請求項１０に記載のキャスタースケート。
【請求項１４】
前記傾斜角度θは、２５度以上、４５度以下であることを特徴とする請求項１０に記載のキャスタースケート。
【請求項１５】
前記前方ボード及び後方ボードの底面からそれぞれ導き出され、前記前方ボード及び後方ボードの上面に対して傾斜面を含むブラケット（２５）、（３５）を更に備えることを特徴とする請求項１０に記載のキャスタースケート。
【請求項１６】
前記第１ローラー（２２）、第３ローラー（３２）は、前記ブラケット（２５）、（３５）の傾斜面に回転可能に結合されることを特徴とする請求項１５に記載のキャスタースケート。